(57)【特許請求の範囲】
【請求項１】
筒形の外ハウジングの内側に軸方向に挿入した筒形の内ハウジングの、該外ハウジングから軸方向に突出した端部にストッパ部材を取り付けて、該ストッパ部材のストッパ部に対しハンドルを当接させることで該ハンドルの回転規制を行う構造の混合水栓におけるハンドルのストッパ機構であって、
前記内ハウジングの前記突出した端部の外面に周方向に沿って溝を設け、
前記ストッパ部材に備えた回転方向の位置決用の第１の位置決凹部又は凸部と軸方向に嵌り合って該回転方向に係合する、第２の位置決凸部又は凹部を有するストッパ取付部材を、前記溝に軸直角方向に嵌め込んで前記内ハウジングの端部に回転方向及び軸方向に固定され、該端部の外面から径方向外方に突出する状態に装着し、
該ストッパ取付部材に対して前記ストッパ部材を回転方向に固定状態に軸方向に嵌め合せて、前記内ハウジングの前記突出した端部に取り付けて、
前記溝には前記ストッパ取付部材を前記内ハウジングの前記突出した端部に対し回転方向に位置決めするための第３の位置決凸部又は凹部を設ける一方、該ストッパ取付部材には対応する第４の位置決凹部又は凸部が設けてあり、それら第３の位置決凸部又は凹部と、第４の位置決凹部又は凸部との凹凸係合により、前記ストッパ取付部材が前記内ハウジングの前記端部に対して回転方向に固定されていて、
前記ストッパ取付部材が、前記ストッパ部材に対する内嵌部を備えていることを特徴とするハンドルのストッパ機構。
【請求項２】
請求項１において、前記内ハウジングの前記端部には、該内ハウジングの内部に納められる部品を該内部に固定状態とする、外径が前記端部と同等以上の固定ナットがねじ結合されていることを特徴とするハンドルのストッパ機構。
【請求項３】
請求項２において、前記ストッパ部材は筒状をなしており、前記固定ナットよりも内径が大きいものであることを特徴とするハンドルのストッパ機構。
【請求項４】
請求項１〜３の何れかにおいて、前記ストッパ取付部材と前記ストッパ部材との一方には爪が、他方には該爪を軸方向に掛止させる掛止部が設けてあり、該掛止部に対する該爪の掛止にて前記ストッパ部材が前記ストッパ取付部材から軸方向に分離防止されていることを特徴とするハンドルのストッパ機構。
【請求項５】
請求項１〜４の何れかにおいて、前記ストッパ取付部材が、周方向の一部が開口形状の部分環状をなす部材であって、
前記ストッパ部材の正，逆両方向の何れの方向の回転時においても、
該ストッパ取付部材の前記第２の位置決凸部又は凹部における、前記ストッパ部材の第１の位置決凹部又は凸部への当り面のうち、
該ストッパ取付部材の周方向端に背を向けた側の当り面に対して、該ストッパ部材の該第１の位置決凹部又は凸部の対応する当り面が当るようになしてあり、
前記周方向端を向いた側の当り面に対しては、該ストッパ部材の該第１の位置決凹部又は凸部の前記対応する当り面が当らないように、前記第２の位置決凸部又は凹部及び対応する前記第１の位置決凹部又は凸部の寸法及び形状が定めてあることを特徴とするハンドルのストッパ機構。
【発明の詳細な説明】
【技術分野】
【０００１】
この発明は筒形をなす外ハウジングの内側に内ハウジングを挿入した形態の混合水栓に関し、特に外ハウジングから軸方向に突出した内ハウジングの端部にストッパ部材を取り付けて、そのストッパ部材に備えたストッパ部に対し、ハンドルに備えた当接部を当接させることでハンドルの回転規制を行うハンドルのストッパ機構に関する。
【背景技術】
【０００２】
従来において、湯水混合水栓は水栓本体の本体ボデーをなすハウジングを金属の鋳物にて一体に構成し、その内壁面に水側，湯側の１次側流路や２次側の混合水の流路等を形成する流路壁を一体に設け、そしてその内部に、湯水の混合比率を変化させて混合水の温度調節を行う混合弁ユニットや、流路切替えをなす切替弁ユニット等を納めた構造のものが一般的であった。
【０００３】
しかしながらこの湯水混合水栓の場合、金属製のハウジングを製造する際に複雑な構造の流路壁を内壁面に一体に設けなければならず、製造の工程数が多くなり、また技術的にも多くの困難を伴うといった問題がある。
【０００４】
このような事情の下で、水栓本体のハウジングを筒形の外ハウジングと内ハウジングとの２重ハウジング構造となして、それらハウジング間に１次側流路としての水側流路，湯側流路及び２次側流路として混合水の流路を、シール部材の配置パターンによって形成するようになした混合水栓が下記特許文献１に提案されている。
【０００５】
ところで水栓本体のハウジングをこのように２重ハウジング構造とした場合、ハンドル（例えば温調ハンドル）の回転規制をなすストッパ機構をどのようにして構成するかが問題となる。
上記のように水栓のハウジングが金属製の単一の鋳物製の場合、従来、その金属の鋳物製のハウジング自体に径方向（軸直角方向）外方に凸部を有するストッパ取付部を切削加工にて直接形成して、そこにハンドル側のストッパ部材を嵌合状態に組み付けるようにしているが、この場合、ストッパ取付部を切削加工で形成するために全体のコストが高くなってしまう。
【０００６】
これに対し、水栓本体が外ハウジングと内ハウジングとの２重ハウジング構造をなす混合水栓の場合、外ハウジングから軸方向に突出した内ハウジングの端部に、径方向（軸直角方向）外方への凸部を有するストッパ取付部を一体に形成して、そこにハンドル側のストッパ部材を嵌合状態に組み付けるようになすことが考えられるが、この場合、軸方向の端部を外ハウジングから外部に突き出す位置まで内ハウジングを外ハウジングに挿入する際に、ストッパ取付部の凸部が外ハウジングに対して干渉しないように設計しなければならず、設計上の制約が大きくなる。
特にストッパ取付部の凸部が外ハウジング内面の最小径部よりも大径である場合には、内ハウジングの軸方向端部が外ハウジングから突き出す位置まで、内ハウジングを外ハウジング内に挿入することができなくなる。
【０００７】
尚、本発明に関連する先行技術として下記特許文献２に開示されたものがある。
但しこの特許文献２に開示のものは、外ハウジングから突き出した内ハウジングの端部の外面に溝を設けて、そこにストッパ取付部材を取り付けるといったものではない点で本発明とは異なる。
【先行技術文献】
【特許文献】
【０００８】
【特許文献１】特許第２６９５３６４号公報
【特許文献２】特開平９−６００６０号公報
【発明の概要】
【発明が解決しようとする課題】
【０００９】
本発明は以上のような事情を背景とし、水栓本体が外ハウジングと内ハウジングとを有する２重ハウジング構造をなす混合水栓において、特に設計上の制約を生ずることなく容易に構成することのできるハンドルのストッパ機構を提供することを目的としてなされたものである。
【課題を解決するための手段】
【００１０】
而して請求項１のものは、筒形の外ハウジングの内側に軸方向に挿入した筒形の内ハウジングの、該外ハウジングから軸方向に突出した端部にストッパ部材を取り付けて、該ストッパ部材のストッパ部に対しハンドルを当接させることで該ハンドルの回転規制を行う構造の混合水栓におけるハンドルのストッパ機構であって、前記内ハウジングの前記突出した端部の外面に周方向に沿って溝を設け、前記ストッパ部材に備えた回転方向の位置決用の第１の位置決凹部又は凸部と軸方向に嵌り合って該回転方向に係合する、第２の位置決凸部又は凹部を有するストッパ取付部材を、前記溝に軸直角方向に嵌め込んで前記内ハウジングの端部に回転方向及び軸方向に固定され、該端部の外面から径方向外方に突出する状態に装着し、該ストッパ取付部材に対して前記ストッパ部材を回転方向に固定状態に軸方向に嵌め合せて、前記内ハウジングの前記突出した端部に取り付けて、前記溝には前記ストッパ取付部材を前記内ハウジングの前記突出した端部に対し回転方向に位置決めするための第３の位置決凸部又は凹部を設ける一方、該ストッパ取付部材には対応する第４の位置決凹部又は凸部が設けてあり、それら第３の位置決凸部又は凹部と、第４の位置決凹部又は凸部との凹凸係合により、前記ストッパ取付部材が前記内ハウジングの前記端部に対して回転方向に固定されていて、前記ストッパ取付部材が、前記ストッパ部材に対する内嵌部を備えていることを特徴とする。
【００１１】
請求項２のものは、請求項１において、前記内ハウジングの前記端部には、該内ハウジングの内部に納められる部品を該内部に固定状態とする、外径が前記端部と同等以上の固定ナットがねじ結合されていることを特徴とする。
【００１２】
請求項３のものは、請求項２において、前記ストッパ部材は筒状をなしており、前記固定ナットよりも内径が大きいものであることを特徴とする。
【００１３】
請求項４のものは、請求項１〜３の何れかにおいて、前記ストッパ取付部材と前記ストッパ部材との一方には爪が、他方には該爪を軸方向に掛止させる掛止部が設けてあり、該掛止部に対する該爪の掛止にて前記ストッパ部材が前記ストッパ取付部材から軸方向に分離防止されていることを特徴とする。
【００１４】
請求項５のものは、請求項１〜４の何れかにおいて、前記ストッパ取付部材が、周方向の一部が開口形状の部分環状をなす部材であって、前記ストッパ部材の正，逆両方向の何れの方向の回転時においても、該ストッパ取付部材の前記第２の位置決凸部又は凹部における、前記ストッパ部材の第１の位置決凹部又は凸部への当り面のうち、該ストッパ取付部材の周方向端に背を向けた側の当り面に対して、該ストッパ部材の該第１の位置決凹部又は凸部の対応する当り面が当るようになしてあり、前記周方向端を向いた側の当り面に対しては、該ストッパ部材の該第１の位置決凹部又は凸部の前記対応する当り面が当らないように、前記第２の位置決凸部又は凹部及び対応する前記第１の位置決凹部又は凸部の寸法及び形状が定めてあることを特徴とする。
【発明の作用・効果】
【００１５】
以上のように本発明は、外ハウジングから軸方向外部に突出した内ハウジングの端部の外面に周方向に沿って溝を設け、その溝に対しストッパ取付部材を嵌め込んで、内ハウジングの端部に回転方向及び軸方向に固定され、径方向外方に突出する状態にストッパ取付部材を装着し、そのストッパ取付部材に対し、ストッパ部材をストッパ取付部材と一体回転状態に軸方向に嵌め合せ、以て内ハウジングの上記突出した端部にこれを取り付けるようになしたものである。
ここでストッパ取付部材は、外ハウジングの内面の最小内径よりも外径を大径となしておくことができる。
【００１６】
本発明によれば、ストッパ取付部材を内ハウジングとは別体として、これを内ハウジングの、外ハウジングから突出した端部の溝に嵌め込んで、そこにストッパ部材を設けるようになしているため、内ハウジングに凸部を有するストッパ取付部材を設けることによって、内ハウジングや外ハウジングの設計上の自由が制約されるといったことがなく、任意形状でそれらを設計することが可能となる。
【００１７】
本発明では、内ハウジングを外ハウジングに挿入し、その端部を外ハウジングから外部に突出した後において、後付けでストッパ取付部材をその端部から径方向外方に突出した形態で設けることができる。
そして更にそのストッパ取付部材に対しストッパ部材を軸方向に嵌め合せることで、ストッパ部材を取り付けることができる。
このようにすることでストッパ取付部材，ストッパ部材を大径に構成することができ、ストッパ強度を高強度となすことができる。
【００１８】
本発明では、上記溝の側に、ストッパ取付部材を内ハウジングの上記の突出した端部に対し回転方向に位置決めするための第３の位置決凸部又は凹部を設ける一方、ストッパ取付部材の側に対応する第４の位置決凹部又は凸部を設けて、それらの凹凸係合によりストッパ取付部材を内ハウジングの端部に対し回転方向に固定するようになす。
このようにすれば簡単な構成でストッパ取付部材を内ハウジングの上記の端部に対し、回転方向に固定状態に設けることができる。
【００１９】
またストッパ取付部材は、ストッパ部材に対する内嵌部を備えておく。
このようにしておけば、ストッパ取付部材の内嵌部がストッパ部材に内嵌した状態となるため、ストッパ取付部材が内ハウジングの突出した端部及びストッパ部材から外れるのが有効に防止される。
【００２０】
本発明は、請求項２に従い内ハウジングの端部に、内ハウジングの内部に納められる部品をその内部に固定状態とする、外径が内ハウジングの上記端部と同等以上の固定ナットがねじ結合されているものに適用して効果が大である。
【００２１】
組付けの関係上、固定ナットが予め内ハウジングの端部にねじ結合されている状態で、上記のストッパ部材をストッパ取付部材に対し軸方向に嵌め合せるようになすのが好都合であるが、このときストッパ取付部材の外径が内ハウジングの端部の外径と同等以下であると、かかるストッパ取付部材に対し、筒状をなすストッパ部材を軸方向に嵌め合せるといったことが難しい。
【００２２】
しかるに本発明では、ストッパ取付部材を内ハウジングの端部よりも容易に大径となし得、この場合、請求項３に従いストッパ部材を筒状の部材となした場合でも、これを固定ナットよりも内径を大きくしておくことで、固定ナットを取り付けた状態の下でも、ストッパ部材を内ハウジングの端部に外嵌状態に嵌合して、ストッパ取付部材に対し容易に軸方向に嵌め合せることができる。
【００２３】
請求項４は、ストッパ取付部材とストッパ部材との一方に爪を、他方にその爪を軸方向に掛止させる掛止部を設け、掛止部に対する爪の掛止にてストッパ部材をストッパ取付部材から軸方向に分離防止するようになしたもので、このようにしておけば、ストッパ部材がストッパ取付部材に対し軸方向にも固定状態となり、従ってストッパ部材がストッパ部材から軸方向に離れてハンドル操作時にハンドルと擦り、そこで異音を発生させたりするといった不都合を有効に防止することができる。
【００２４】
次に請求項５は、ストッパ取付部材を、周方向の一部が開口形状の部分環状をなす部材となし、そしてこの場合においてストッパ部材の正，逆両方向の何れの方向の回転時においても、常にストッパ取付部材に対し、これを内ハウジングの端部に軸直角方向に、より強く嵌り込む側に力が作用するようになしたもので、この請求項５によれば、ストッパ部材からの力を受けてストッパ取付部材がその開口形状に起因して、内ハウジングの端部から軸直角方向の外方に離脱しようとするのを有効に防止することができる。
【００２５】
即ち、ストッパ取付部材を部分環状となすことにより、開口形状を通じ容易にこれを内ハウジングの端部に軸直角方向に嵌め合せることが可能となる一方、開口形状に起因してストッパ取付部材が内ハウジングの端部から軸直角方向に離脱してしまうのを確実に防止することが可能となる。
【図面の簡単な説明】
【００２６】
【図１】本発明の一実施形態のハンドルのストッパ機構を備えた混合水栓の斜視図である。
【図２】図１の混合水栓の一部を水平方向で切り欠いて示した部分断面図である。
【図３】図１の混合水栓の垂直方向の断面図である。
【図４】図３の混合弁ユニットを周辺部とともに拡大して示した図である。
【図５】図４の混合弁ユニットの一部を分解して示した図である。
【図６】図４の混合弁ユニットと温調ハンドルとの接続部分を分解して示した図である。
【図７】同実施形態におけるハンドルのストッパ機構の組付手順を示した図である。
【図８】（Ａ）同実施形態におけるストッパ部材を安全ボタンとともに示した図である。（Ｂ）図４のアーア断面図である。
【図９】同実施形態におけるストッパ取付部材を示した図である。
【図１０】同実施形態におけるストッパ取付部材及びストッパ部材を分解して示した斜視図である。
【図１１】同実施形態におけるハンドルのストッパ機構の効果を説明する図４のイーイ断面図である。
【図１２】同実施形態におけるストッパ取付部材及びストッパ部材の変形例を示した図である。
【図１３】図３の切替弁ユニットを周辺部とともに拡大して示した図である。
【図１４】同実施形態における内ハウジングの図である。
【図１５】同実施形態における外ハウジングと内ハウジングとを分解して示した断面図である。
【図１６】同実施形態の外ハウジング側の湯流入用開口と内ハウジング側の湯流入用開口との接続部分の分解斜視図である。
【図１７】同実施形態における要部としての、外ハウジング側の湯流入用開口と内ハウジングの湯流入用開口との接続部分の断面図である。
【図１８】同実施形態におけるスペーサ部材の図である。
【図１９】同実施形態における接続部材の図である。
【図２０】同実施形態における固定クリップの図である。
【図２１】同実施形態の混合水栓の組付手順を示した図である。
【発明を実施するための形態】
【００２７】
次に本発明の実施形態を図面に基づいて詳しく説明する。
図１において、１０は本実施形態の壁付きの混合水栓で、図中左右方向に長手形状をなす水栓本体１２を有している。
水栓本体１２の下面からは、先端に吐水口１４を備えた略Ｌ字状をなす吐水管１６が延び出しており、また背面からはシャワー側の流出口部７６が後方に突出して、そこにシャワーエルボ２０が接続されている。
このシャワーエルボ２０には、図示を省略するシャワーヘッドが可撓性のシャワーホースを介して接続される。
【００２８】
水栓本体１２の長手方向の一端側（図中左端側）には、温調ハンドル（温度調節ハンドル）２２が設けられており、また他端側（図中右端側）には、吐水管１６の側とシャワー側とで流路の切替えを行い、且つ吐水の流量調節を行う切替ハンドル２４が設けられている。
ここで切替ハンドル２４は吐水から止水若しくはその逆への切替えも行う。
【００２９】
水栓本体１２からはまた、給水管を兼ねた水側のクランク脚２６、及び給湯管を兼ねた湯側のクランク脚２８がそれぞれ後方に延び出している。
本実施形態の混合水１０は、これら一対のクランク脚２６，２８によって後方の壁に取り付けられている。
【００３０】
図２に示しているように、水栓本体１２は横断面の内面形状が円形をなす略円筒状の金属製の外ハウジング３０を本体ボデーとして有しており、またその内側において、同じく横断面の内面形状が円形をなす樹脂製の略円筒状の内ハウジング３２を有している。
即ちこの実施形態の水栓１０は、水栓本体１２が２重ハウジング構造をなしている。
ここで外ハウジング３０の内面は、図１５（Ａ）に示すように基本的に凹凸を有しない平滑な面とされていて、そこには複数の流路を区画形成するための流路壁は突出形成されていない。
【００３１】
またこの実施形態において、外ハウジング３０と内ハウジング３２との間の空間は、軸方向の両端部で弾性を有する環状のシール部材３４でシールされているが、軸方向の中間部ではシール部材によるシールはなされておらず、外ハウジング３０と内ハウジング３２との間に形成される空間は、基本的に軸方向の一端から他端にかけて単一の空間を形成している。
この実施形態では、これら外ハウジング３０と内ハウジング３２との間に形成される空間はその全体が単一の流路、ここでは１次側の水側流路３６を形成している。
【００３２】
尚、外ハウジング３０には軸方向の位置決凸部２５０が設けられ、また内ハウジング３２には対応する軸方向の位置決凸部２５２が設けられ、それらの軸方向の当接により内ハウジング３２の外ハウジング３０に対する軸方向（図中左方向）の挿入量が規定されている。
また内ハウジング３２の図中右端側には、径方向外方に環状に突出したシール保持部２５４が設けられていて、そのシール保持部２５４がシール部材３４を介して外ハウジング３０の図中右端の円筒内面に水密に嵌合せしめられている。
更に内ハウジング３２の図中左端側にも、径方向外方に突出した環状のシール保持部２５６が設けられていて、そこにシール部材３４が保持され、このシール保持部２５６がシール部材３４を介して、外ハウジング３０の図中左端側の径方向内向きの環状の内フランジ部２５８に水密に嵌合せしめられている。
【００３３】
外ハウジング３０の背面（図２中上面）且つ図中右端側には、水を外ハウジング３０の内部、つまり外ハウジング３０と内ハウジング３２との間の水側流路３６に流入させる水流入用開口（外ハウジング側開口）３８が設けられており、そしてこの水流入用開口３８から、外ハウジング３０に一体に構成された筒形（円筒形）の水流入口部４０が後方（図中上方）に突出していて、この水流入口部４０に対し、給水管を兼ねた水側のクランク脚２６が締結ナット４６にてねじ結合されている。
【００３４】
クランク脚２６を通じて供給された水は、この水流入口部４０，水流入用開口３８を通じて上記の水側流路３６へと流入する。
尚、クランク脚２６と水流入口部４０との接続部の内部には、クランク脚２６から水流入用開口３８に向けての水の流れのみを許容し、逆方向の流れを阻止する、弁体４２を備えた一方向性の逆止弁４４が設けられている。
【００３５】
一方内ハウジング３２の図中左端側の前面（図中下面）には、水側流路３６に流入した水を内ハウジング３２内に流入させる、内ハウジング３２側の水流入用開口（内ハウジング側開口）４８が筒壁を貫通して設けられている。
クランク脚２６を通じて供給された水は、外ハウジング３０の内側の水側流路３６に流入した後、この内ハウジング３２側の水流入用開口４８を通じて内ハウジング３２内に流入する。
【００３６】
図中左端側において、内ハウジング３２には背面側（図中上面側）に、湯流入用開口（内ハウジング側開口）５０が筒壁を貫通して設けられている。
またこれに対し径方向に対向する位置において、外ハウジング３０には湯流入用開口（外ハウジング側開口）５２が設けられて、それらが後に詳述する接続部材５４にて水密に接続されている。
【００３７】
この外ハウジング３０側の湯流入用開口５２からは、円筒形状をなす湯流入口部５５が外ハウジング３０から一体に突出しており、そしてその湯流入口部５５に対し、湯側のクランク脚２８が締結ナット４６にてねじ結合されている。
この湯流入口部５５の側においても、これとクランク脚２８との接続部の内部に、弁体４２を有する逆止弁４４が設けられている。
この湯側の逆止弁４４は、クランク脚２８から湯流入用開口５２に向けての湯の流れのみを許容し、逆方向の流れを阻止する。
【００３８】
而してクランク脚２８から外ハウジング３０の湯流入用開口５２に流入した湯は、接続部材５４による連絡によって、そのまま外ハウジング３０と内ハウジング３２との間の水側流路３６を横切って、内ハウジング３２側の湯流入用開口５０へと到り、更にこれを通過して内ハウジング３２内部へと流入する。
【００３９】
そして内ハウジング３２の内部に流入した水と湯とは、図３に示しているように内ハウジング３２の内部に軸方向に挿入されて組み付けられた混合弁ユニット５６により、温調ハンドル２２の操作により設定された比率で混合されて設定温度の混合水とされ、続いて同じく内ハウジング３２の内部に軸方向に挿入されて組み付けられた切替弁ユニット５８による流路切替えによって、図１の吐水管１６側又はシャワー側へと案内されて、そこから外部に流出せしめられる。
【００４０】
詳しくは、図３及び図１３に示しているように内ハウジング３２の軸方向中間部の下面には、内ハウジング３２内の混合水を流出させるための流出用開口（内ハウジング側開口）６０と、図１４に示すように筒壁の外面から突出して流出用開口６０を取り囲む環状壁から成る連結口部６２が設けられている。
【００４１】
一方外ハウジング３０側には、流出用開口６０及び連結口部６２に対し径方向に対向する位置に、混合水を外部に流出させる流出用開口（外ハウジング側開口）６４が設けられおり、内ハウジング３２側の流出用開口６０が、連結口部６２において、外ハウジング３０側の流出用開口６４に筒形の流出口部６６にて水密に接続されている。
【００４２】
ここで流出口部６６は、流出用開口６０と６４とを接続する接続部材を兼ねており、外ハウジング３０の流出用開口６４への差込みにより、外ハウジング３０に取り付けられている。
流出口部６６は、外ハウジング３０から下向きに突出しており、そしてその突出した部分に対して、図１に示す吐水管１６が締結ナット６８により回転可能にねじ結合されている。
【００４３】
内ハウジング３２にはまた、軸方向のほぼ同じ位置において、図２に示しているようにシャワー側の混合水の流出用開口（内ハウジング側開口）７０が、筒壁を貫通して設けられており、更に内ハウジング３２には、図２及び図１３に示すように筒壁の外面から環状に突出して流出用開口７０を取り囲む環状壁から成る連結口部７２が設けられている。
【００４４】
更にこれら流出用開口７０及び連結口部７２に対し径方向に対向する位置において、外ハウジング３０には対応する流出用開口（外ハウジング側開口）７４が設けられており、そして内ハウジング３２側の流出用開口７０と、外ハウジング３０側の流出用開口７４とが、外ハウジング３０とは別体をなして筒形をなす流出口部７６にて水密に接続されている。
尚、流出口部７６は流出用開口７４に対し、全周に亘りシール部材を介し水密に内嵌状態に嵌合せしめられており、また先端部が連結口部７２に対し、全周に亘りシール部材を介し水密に且つ内嵌状態に嵌合せしめられている。
【００４５】
このシャワー側の流出口部７６もまた、流出用開口７０と７４とを水密に接続する接続部材を兼ねて構成されており、外ハウジング３０側の流出用開口７４への差込みにより、外ハウジング３０から突出する状態に外ハウジング３０に取り付けられている。
そしてこの流出口部７６の外ハウジング３０から突出した部分に対して、シャワーエルボ２０が嵌入部８０をシール部材を介し嵌入させる状態に、水密にねじ結合され、接続されている。
【００４６】
図３，図４の混合弁ユニット５６から図１３の切替弁ユニット５８に到った混合水は、切替弁ユニット５８の流路切替作用により、内ハウジング３２側の流出用開口６０から流出口部６６内へと流出して流出口部６６の内部流路を流通した後、吐水口１６から外部に流出するか、又は同じく内ハウジング３２側の流出開口７０から流出口部７６内へと到って、その内部流路を通じた後シャワーエルボ２０を経てシャワーヘッドへと送られ、そこから外部へと流出（吐水）せしめられる。
【００４７】
内ハウジング３２に設けた上記の湯流入用開口５０は、図１４及び図１６に示しているように平面展開形状が周方向に長い矩形状をなしている。即ち全体として周方向に長い大きな開口をなしており、その周方向長は、後述する円筒形状の接続部材５４の内径よりも大きなものとされている。
【００４８】
但し、湯流入用開口５０の位置で接続部材５４の先端を内ハウジング３２の筒壁の外面に直接当てるようにすると、湯流入用開口５０の有効な流路面積が、接続部材５４の先端で囲まれた内側の部分の面積だけとなり、必然的に湯流入用開口５０の有効面積が小さいものとなって、十分な流量を確保することが難しい。
そこでこの実施形態では、湯流入用開口５０を大きな開口となした上で、接続部材５４を次のようにして湯流入用開口５０に接続するようになしている。
【００４９】
即ちこの実施形態では、内ハウジング３２の筒壁の外面から環状（平面視矩形状）に突出して、湯流入用開口５０を取り囲む環状壁を設けて、これを連結口部８２と成し、そして接続部材５４の内ハウジング３２側の端部をこの連結口部８２に対して、リング状のスペーサ部材８４を介して内嵌させるようにしている。そしてこのようにすることで、接続部材５４の内ハウジング３２側の端部及びスペーサ部材８４と、内ハウジング３２の筒壁外面との間にスペース形成するようになしている。
【００５０】
詳しくは、図１７に示しているように連結口部８２には周方向両端の付根位置に段付部８６を設けて、そこにリング状のスペーサ部材８４を当接させる状態に、スペーサ部材８４を連結口部８２に対して内嵌状態に嵌合させ、更にそのスペーサ部材８４に対し、円筒形状をなす接続部材５４の先端部を同じく内嵌状態に嵌合させることにより、それら接続部材５４及びスペーサ部材８４と内ハウジング３２の筒壁外面との間にスペース形成する状態に、接続部材５４を組み付け、以て内ハウジング側開口としての湯流入用開口５０と外ハウジング側開口としての湯流入用開口５２とを、スペーサ部材８４及び連結口部８２を介して接続部材５４にて水密に接続するようになしている。
尚、周方向長の長い上記の湯流入用開口５０は、図１７に示しているように連結口部８２に到るまで周方向に延びている。
【００５１】
上記リング状をなすスペーサ部材８４は、図１８（Ａ）に示しているように平面視形状が４角形状で、円形の嵌合孔９９を有しており、また図１８（Ｂ）の側面視における下面形状が図中上向きに凹の湾曲形状をなしている。
更に外周面には環状溝８８を有していて、そこに弾性を有するＯリングから成るシール部材９０を保持している。
スペーサ部材８４は、その外面（外周面）をこのシール部材９０を介して連結口部８２の内面（内周面）に水密に嵌合させている。
【００５２】
一方円筒形状をなす接続部材５４は、図１９に示しているように軸方向の各端部の外面（外周面）に環状溝９２，９４を有していて、それら環状溝９２，９４においてＯリングから成るシール部材９６，９８を保持している。
【００５３】
接続部材５４は、シール部材９６を介して軸方向の端部（図１７中下端部）を、スペーサ部材８４の内面に嵌合状態に水密結合し、またシール部材９８を介しその外面を、外ハウジング３０側開口である湯流入用開口５２の内面に嵌合状態に水密結合し、以て外ハウジング３０側の湯流入用開口５２と、内ハウジング３２側の湯流入用開口５０とをスペーサ部材８４，連結口部８２を介して水密接続している。
【００５４】
即ち外ハウジング３０と内ハウジング３２との間に形成される水側流路３６を横切る状態に、湯流入用開口５２と５０とを連絡してその内部に、クランク脚２８から送られて来た湯を内ハウジング３２内に流入させるための、独立した１次側流路としての湯側流路を形成している。
【００５５】
図１７において、１００は接続部材５４を抜止状態に固定する固定クリップ（固定部材）で、図２０に示しているように全体としてＣリング状をなしていて、径方向に弾性変形能を有している。
図１７に示しているように、この実施形態ではクランク脚２８からの湯を流入させる筒状の湯流入口部５５が外ハウジング３０に一体に構成されており、上記の接続部材５４は、この湯流入口部５５の開口部からその内部に差し込まれて内ハウジング３２側の湯流入用開口５０、具体的には連結口部８２と外ハウジング３０側の湯流入用開口５２とを水密接続している。
【００５６】
而して湯流入口部５５の内面には、環状の嵌込凹部１０２が設けられており、そこに固定クリップ１００を縮径状態で挿入した後これを拡径して嵌込凹部１０２に嵌め込むことで、固定クリップ１００の接続部材５４に対する当接作用により、接続部材５４が図中上向きに抜け防止されている。
【００５７】
尚図２０に示しているように、固定クリップ１００は周方向両端部が径方向内方の突出部とされて、そこに凹部１０６が設けられている。
この凹部１０６は治具を係合させるための部分であって、この固定クリップ１００は、凹部１０６に治具を係合させて縮径させることで、湯流入口部５５から取出可能である。
尚接続部材５４は、これを図１７中下向きに押し込むと先端が内ハウジング３２の筒壁の外面に当接し、そこで押込量が規定される。
【００５８】
図２１及び図１６は、図１７におけるスペーサ部材８４，接続部材５４及び固定クリップ１００等の組付けの手順を示している。
図に示しているように、ここでは先ず内ハウジング３２を外ハウジング３０に挿入する前において、連結口部８２にスペーサ部材８４を内嵌状態に装着してそこに保持させておく。
そしてその状態で、図１６（Ａ）に示しているように内ハウジング３２を外ハウジング３０の内部に軸方向に挿入する。図２１（III）はこのときの状態を表している。
【００５９】
その後、図１６（Ａ）に示しているように先ず接続部材５４を外ハウジング３０における湯流入口部５５の内部に差し込み、しかる後、固定クリップ１００を縮径変形させた状態で同じく湯流入口部５５内部に押し込み、これを湯流入口部５５内部の嵌込凹部１０２に嵌め込む。
このとき固定クリップ１００は蓄えられていた弾性力で拡径して嵌込凹部１０２に嵌り込み、接続部材５４の図中上向きの抜けを防止する。
即ち接続部材５４をその軸方向に固定状態とする。
【００６０】
本実施形態においては、図２及び図１７における接続部材５４によって、外ハウジング３０の湯流入用開口５２と連結口部８２、つまり内ハウジング３２の湯流入用開口５０が接続されることで、また図１３に示す内ハウジング３２側の混合水の流出用開口６０と外ハウジング３０側の流出用開口６４とが、接続部材を兼ねた流出口部６６にて接続されることで、更には図２に示すように混合水を流出させる内ハウジング３２側の流出用開口７０と外ハウジング３０の流出用開口７４とが、接続部材を兼ねた流出口部７６にて接続されることで、外ハウジング３０と内ハウジング３２とが固定状態とされる。
【００６１】
図３における上記の混合弁ユニット５６が、周辺部とともに図４に拡大して詳しく示してあり、また切替弁ユニット５８が周辺部とともに図１３に拡大して詳しく示してある。
本実施形態の混合弁ユニット５６はサーモスタット式（自動温度調節機能付）のもので、弁ケース１１２を有しており、その弁ケース１１２ごと、上記の内ハウジング３２の内部に軸方向に挿入されて組み付けられている。
【００６２】
図４において、１１０は段付きの円筒形状をなす固定ナットで、内ハウジング３２内部に挿入された混合弁ユニット５６は、この固定ナット１１０を内ハウジング３２の端部にねじ結合することで、内ハウジング３２から抜止めされ、内ハウジング３２内部に固定される。
【００６３】
弁ケース１１２には、軸方向に互いに離隔した位置に水流入口１１６，湯流入口１１８が形成されており、これら水流入口１１６，湯流入口１１８を通じて水，湯が弁ケース１１２内部に流入する。
流入した水と湯とは混合室１２０で混合された後、その混合水が流出口１２２から図中右向きに流出する。
【００６４】
１２４，１２６はそれぞれ水流入口１１６，湯流入口１１８から流入する水，湯の流入量を調節する水側弁部，湯側弁部で、水流入口１１６，湯流入口１１８からの水と湯の流入量は、それぞれ水側弁部１２４，湯側弁部１２６の弁開度に応じて大小変化する。即ち混合室１２０での水と湯との混合比率が変化し、混合水温度が高低変化する。
【００６５】
弁ケース１１２の内部には、弁体ユニット１２８が図中左右方向（軸方向）に移動可能に設けられている。
この弁体ユニット１２８は、軸方向に離隔して設けられた水側弁体１３０と湯側弁体１３２、及びそれらを軸方向に連繋する連繋部１３４を有している。
【００６６】
ここで水側弁体１３０及び湯側弁体１３２はそれぞれ円筒形状（環状）をなしており、それぞれの外周面の軸方向中間位置に断面Ｕ字形状をなすシール部材１３６，１３８が保持されていて、それらシール部材１３６，１３８により水側弁体１３０及び湯側弁体１３２と弁ケース１１２との間が水密にシールされている。
【００６７】
連繋部１３４は湯側弁体１３２と一体に構成されている。
この連繋部１３４は、図５にも示しているように湯側弁体１３２の内側位置において十字状をなすように中心部から放射状に延びる複数（ここでは４つ）の補強板１４０と、この補強板１４０から軸方向且つ図中右方向に突き出した円筒部１４２とを一体に有している。
ここで補強板１４０は湯側弁体１３２を内側から補強する働きをなすもので、板面が軸方向に延びており、そして外周端が湯側弁体１３２に一体化されている。
この実施形態では、水流入口１１６，湯流入口１１８から流入した水と湯とが図中右向きに流れて混合室１２０に到り、そこで水と湯とが混合される。
【００６８】
混合室１２０には、形状記憶合金製のコイル形状の感温ばね（付勢部材）１４４が収容されており、その付勢力を軸方向の押圧力として弁体ユニット１２８に対し図中左向きに、即ち湯側弁体１３２を閉弁させ、水側弁体１３０を開弁させる方向に及ぼしている。
この形状記憶合金製の感温ばね１４４は混合室１２０内部の混合水温度に応じて伸縮し、混合水温度が設定温度となるように図中左向きの付勢力を変化させて、弁体ユニット１２８の位置を自動的に微調節する。
【００６９】
１４６は混合室１２０を形成するとともに感温ばね１４４の一端を当接させるばね受で、図中左端に外向きの係合爪１４８を有し、その係合爪１４８を弁ケース１１２の係合孔１５０に係合させることで、弁ケース１１２に組み付けられている。
【００７０】
上記水側弁体１３０は、湯側弁体１３２及び連繋部１３４とは別体に構成されている。
この水側弁体１３０には、図５にも明らかに示しているように内側が段付形状をなす円筒形状の嵌合部１５２が形成されており、その嵌合部１５２が、段付部１５４を円筒部１４２の先端面に当接させる状態に、円筒部１４２に外嵌状態に嵌合され組み付けられている。
詳しくは、円筒部１４２の内側には雌ねじ部１５６が形成されていて、そこに後述の弁軸２０６の先端部に形成された雄ねじ部１５８がねじ込まれている。
【００７１】
この弁軸２０６には押え部材としての止め輪１６０が装着されており、弁軸２０６の雄ねじ部１５８が円筒部１４２の内側の雌ねじ部１５６にねじ込まれることで、水側弁体１３０が止め輪１６０にてばね１６２を介し円筒部１４２に図中右向きに押し付けられ、連繋部１３４に組付固定されている。
ここでばね１６２は通常の金属製でコイル形状をなしている。
【００７２】
図４に示しているように弁ケース１１２には、水側弁体１３０，湯側弁体１３２のそれぞれの軸方向の内側位置に、水側弁部１２４における水側弁座１６４，湯側弁部１２６における湯側弁座１６６が設けられており、それらに対し水側弁体１３０，湯側弁体１３２が軸方向に当接するようになっている。
詳しくは水側弁座１６４，湯側弁座１６６におけるそれぞれの弁座面１６８，１７０に対して水側弁体１３０，湯側弁体１３２が当接するようになっている。
【００７３】
この実施形態において、弁体ユニット１２８は通常の金属製のコイルばねから成るバイアスばね（付勢部材）１７２にて図中右向き、即ち湯側弁体１３２を開弁させ、水側弁体１３０を閉弁させる方向に付勢（押圧）されており、また混合室１２０内に設けられた感温ばね１４４にてこれとは逆方向の図中左向き、即ち湯側弁体１３２を閉弁させ、水側弁体１３０を開弁させる方向に付勢されている。
弁体ユニット１２８は、感温ばね１４４による図中左向きの付勢力と、バイアスばね１７２による図中右向きの付勢力とが釣合う位置に保持される。
【００７４】
図４に示しているように、弁ケース１１２には回転操作軸１７４が組み付けられている。
この回転操作軸１７４は、弁体ユニット１２８を弁ケース１１２の内部で軸方向、即ち図中左右方向に移動させて混合水温度を設定操作するためのもので、嵌合軸部１７６と、ハンドル連結部１７８とを有しており、その嵌合軸部１７６が弁ケース１１２の嵌合孔１８０に回転可能に内嵌されている。
ここで嵌合軸部１７６と弁ケース１１２の嵌合孔１８０との間はＯリング１８２にて水密にシールされている。
また弁ケース１１２から軸方向の左方に突き出したハンドル連結部１７８には、セレーション部１８４において温調ハンドル２２が一体回転状態に連結されるようになっている。
【００７５】
回転操作軸１７４は、弁ケース１１２の内部において大径の円筒部１８５を有しており、その円筒部１８５の図中左端の肩部と、回転操作軸１７４に装着された径方向に弾性を有する止め輪１８６にて、弁ケース１１２に軸方向に固定されている。
この円筒部１８５の内周面には雌ねじ部１８８が形成され、そこに円筒形状をなす駆動部材１９０が、外周面の雄ねじ部１９２において螺合されている。
この駆動部材１９０は、回転操作軸１７４の回転操作によってねじ送りで軸方向即ち図中左右方向に進退移動させられる。
【００７６】
この駆動部材１９０と弁体ユニット１２８との間には、ストッパリング１９４，ばね受１９６を介して通常の金属製のコイルばねからなる上記のバイアスばね１７２が介在させられており、バイアスばね１７２の図中右向きの付勢力が弁体ユニット１２８に対し図中右向きに及ぼされている。
尚、ばね受１９６には図中右端と左端とに内向きのフランジ部１９８，２００が設けられている。
【００７７】
一方、駆動部材１９０の図中右端には外向きのフランジ部２０２が設けられ、この外向きのフランジ部２０２が、一対のフランジ部１９８，２００の間においてばね受１９６内部を図中左右方向に相対移動可能とされている。
また駆動部材１９０には、内向きに突出した段付部２０４が図中左端に設けられていて、そこにストッパリング１９４が図中右向きに当接させられている。
【００７８】
上記のように弁体ユニット１２８からは図中左向きに弁軸２０６が延び出している。
弁軸２０６の左端側はストッパリング１９４を貫通して図中左向きに突出しており、その突出した端部に、ストッパリング１９４の内径よりも大径の頭部２０８が設けられている。
この頭部２０８には、弁軸２０６における上記の雄ねじ部１５８を連繋部１３４の雌ねじ部１５６にねじ込む際に工具掛け部となる係合溝が形成されている。
【００７９】
この実施形態では、回転操作軸１７４を正方向に回転操作すると、駆動部材１９０がねじ送り作用で図中右向きに前進させられ、これによりストッパリング１９４を介してバイアスばね１７２が圧縮せしめられ、弁体ユニット１２８に対する図中右向きの付勢力を増大させる。
また回転操作軸１７４を逆方向に回転操作すると、駆動部材１９０が図中左向きに後退移動させられて、バイアスばね１７２が延びる方向に変位し、弁体ユニット２８に対する図中右向きの付勢力を弱くする。
【００８０】
この例の混合弁ユニット５６では、このようにして回転操作軸１７４を正方向又は逆方向に回転操作することで、弁体ユニット１２８に対するバイアスばね１７２の図中右向きの付勢力と、感温ばね１４４の図中左向きの付勢力との釣合位置が図中左右方向に変化し、これに伴って弁体ユニット１２８が図中左右方向にシフトせしめられる。即ち混合弁ユニット５６における混合水の温度が設定ないし設定変更される。
【００８１】
この混合弁ユニット５６では、弁体ユニット１２８が図中右向きに一杯まで移動して水側弁体１３０が水側弁座１６４の弁座面１６８に当接することで水流入口１１６が全閉、湯流入口１１８が全開となり、弁体ユニット１２８が逆方向に一杯まで移動して湯側弁体１３２が湯側弁座１６６の弁座面１７０に当接することで湯流入口１１８が全閉、水流入口１１６が全開状態となる。
またそれらの中間位置において水流入口１１６及び湯流入口１１８を開き、且つその開度を感温ばね１４４の温度感知に基づいて自動的に変化させ、水，湯の流入量を変化させて混合水温度を自動的に設定温度に調節する。
【００８２】
図１３に示すように、本実施形態において切替弁ユニット５８はシリンダ式の弁体ユニットであって、切替ハンドル２４と一体回転する回転操作軸２２８と、回転操作軸２２８に対し同じく一体回転状態に連結されたシリンダ弁体２３０及び弁ケース２３２を備えて構成されている。
【００８３】
弁ケース２３２は、シリンダ弁体２３０に直接嵌合してこれを保持するインナケース２３４と、インナケース２３４の外側のアウタケース２３６とを有しており、そのアウタケース２３６が、内ハウジング３２の内部に軸方向に挿入され、組み付けられている。
【００８４】
弁ケース２３２は、更にアウタケース２３６の回止めをなす回止め部材２３８を有しており、その回止め部材２３８の部分において、固定ナット２４０により内ハウジング３２の端部に回止め状態に固定されている。
シリンダ弁体２３０には、送られて来た混合水を吐水管１６側に流出させる開口２４２と、シャワー側に流出させる開口２４４とが設けられている。
【００８５】
一方弁ケース２３２は、開口２４２に対応する開口２４６と、開口２４４に対応する図示を省略する開口とを備えており、切替ハンドル２４にてシリンダ弁体２３０を回転させ、開口２４２を弁ケース２３２の開口２４６に合致させた状態の下では、混合水を開口２４２，２４６から流出させて、これを内ハウジング３２の流出用開口６０へと流動させる。
流出用開口６０に到った混合水は、先に述べたように吐水管１６へと流れ込んで、先端の吐水口１４から外部に流出（吐水）する。
【００８６】
一方シリンダ弁体２３０の開口２４４を、図示を省略する弁ケース２３２の別の開口に合致させると（このとき開口２４２は開口２４６に対して不一致の状態にあって、開口２４２は閉鎖された状態にある）、開口２４４から流出した混合水が、シャワー側の流出口部７６へと流れ込んでシャワーヘッドへと送られ、そこからシャワー吐水される。
【００８７】
図６は、上記の混合弁ユニット５６と温調ハンドル２２との組付構造を示している。
図示のように温調ハンドル２２には、内周面に雌セレーション部を有するセレーション部材２１２が一体回転状態に装着されており、このセレーション部材２１２が、混合弁ユニット５６における上記のセレーション部１８４、詳しくは雄セレーション部にセレーション結合されることで、温調ハンドル２２が混合弁ユニット５６における回転操作軸１７４に一体回転状態に連結されている。
【００８８】
２１４は、温調ハンドル２２に備えられた安全ボタンで、ばね２１６により図中上向きの外向きに突出する側に付勢されている。
この安全ボタン２１４には、後述のストッパ部材２２０におけるストッパ部２２４，２２６，２６０に当接する当接部２１８が備えられている。
２２０は、この当接部２１８を当接させることによって温調ハンドル２２の回転規制をなすストッパ部材で、２２２はストッパ部材２２０を内ハウジング３２に取り付けるためのストッパ取付部材である。
【００８９】
この実施形態では、温調ハンドル２２を高温側に回転させると、あるところで安全ボタン２１４の当接部２１８が、ストッパ部材２２０の第１ストッパ部２２４に当接するに到る。ここにおいて温調ハンドル２２が、より高温側に回転操作されるのが規制される。
【００９０】
この段階で使用者が更に混合水の温度を高温側に設定変更したいときは、安全ボタン２１４をばね２１６の付勢力に抗して図中下向き（内向き）に押すと、当接部２１８と第１ストッパ部２２４との当接が解除され、ここにおいて温調ハンドル２２が更なる高温側に回転操作可能となる。
そしてその状態で一杯まで温調ハンドル２２を高温側に回転操作すると、最終的に第２ストッパ部２２６に対して当接部２１８が当接し、それ以上の回転操作が禁止される。
他方、温調ハンドル２２を低温側に一杯まで回転させると、当接部２１８が第３ストッパ部２６０に当接して、温調ハンドル２２のそれ以上の低温側への回転が規制される。
【００９１】
図６において、２６２は外ハウジング３０から軸方向に突出した内ハウジング３２の端部であって、外面に雄ねじ２６４が設けられ、そこに上記の固定ナット１１０がねじ込まれることで、混合弁ユニット５６が内ハウジング３２の内部に固定されている。
ここで固定ナット１１０は、図４及び図７に示しているように、内ハウジング３２における上記の突出した端部２６２の外面よりも僅かに大径をなしている。
固定ナット１１０はまた、図２の外ハウジング３０における内面の最小径部である上記の内フランジ部２５８の内径よりも大径をなしている。
【００９２】
図６及び図７に示しているように、外ハウジング３０から軸方向に突出した内ハウジング３２の端部２６２には、その外面に周方向に沿って略半環状の溝２６６が設けられ、そこに溝２６６とほぼ同等幅（僅かに小寸法）のストッパ取付部材２２２が嵌め込まれ、取り付けられている。
【００９３】
ストッパ取付部材２２２は、ストッパ部材２２０を内ハウジング３２の端部２６２に取り付けるための部材であって、図７及び図９に示しているように全体として略Ｕ字状の部分環状をなし、周方向の一部が開口部２６８とされている。
【００９４】
ストッパ取付部材２２２は、周方向の両端側にストレート形状で互いに平行に延びる一対の脚部２７０を有し、また脚部２７０を除いた部分において、ストッパ部材２２０に内嵌する略半円形状ないし円弧形状の内嵌部２７２を有している。
また外周側の面には、ストッパ部材２２０との回転方向の位置決用の位置決凸部（第２の位置決凸部）２７４-１，２７４-２，２７４-３，２７４-４，２７４-５を有している。
更に内周側の面の周方向中央部には、回転方向の位置決凹部（第４の位置決凹部）２７６を有している。
【００９５】
一方、端部２６２に設けられた上記の溝２６６は、略Ｕ字状をなすストッパ取付部材２２２に対応した溝形状をなしており、この溝２６６には、ストッパ取付部材２２２の上記の位置決凹部２７６に対応した、位置決凹部２７６に嵌り合う回転方向の位置決凸部（第３の位置決凸部）２７８が設けられている。
またストッパ取付部材２２２における一対の脚部２７０に嵌り合う部分が、平面視形状で脚部２７０と同一形状とされ、そしてその溝底面が脚部２７０に対応したストレート形状の面とされている。
【００９６】
この実施形態では、略Ｕ字状をなすストッパ取付部材２２２を、内ハウジング３２の端部２６２に設けられた上記の溝２６６に軸直角方向に嵌め込むと、ここにおいてストッパ取付部材２２２が、端部２６２に対して回転方向にも、また軸方向にも位置決めされた状態でそこに固定される。
このときストッパ取付部材２２２は、端部２６２の外面及び図２の外ハウジング３０の内フランジ部２５８の内面よりも径方向外方に突出した状態となる。
【００９７】
このようなストッパ取付部材２２２の有する形状を、予め内ハウジング３２の端部に一体に形成しておくと、内ハウジング３２を外ハウジング３０に対し軸方向に挿入して、端部２６２を外ハウジング３０から軸方向に突出させることができないが、この実施形態では、ストッパ取付部材２２２が内ハウジング３２と別体に構成されていて、後付けで端部２６２に取り付けられる形態であるために、後述のストッパ部材２２０を取り付けるための取付部分を端部２６２の外面から径方向外方に突出する形態に容易に構成することができる。
【００９８】
上記ストッパ部材２２０は、以上のようにしてストッパ取付部材２２２を端部２６２に取り付けた状態の下で、図７（II）に示すようにこれを軸方向に押し込むことで、かかるストッパ取付部材２２２を介して端部２６２に固定状態に取り付けられる。即ち回転方向に固定状態に取り付けられる。
ここでストッパ部材２２０は、図８に示しているように全体として円筒形状をなしており、その内径は上記の固定ナット１１０の外径よりも僅かに大径をなしている。従って固定ナット１１０を組み付けた状態のまま、ストッパ取付部材２２２に対し軸方向に嵌め合せることが可能である。
【００９９】
ストッパ部材２２０は、図７，図８，図１０に示しているように円筒形状の周壁部２８０と、その軸方向の一端に設けられた径方向内方向きのフランジ部２８２とを有している。
周壁部２８０の、フランジ部２８２とは反対側の端部には、周方向に沿って回転方向の位置決凹部（第１の位置決凹部）２８４-１，２８４-２，２８４-３，２８４-４，２８４-５が設けられている。
ここで位置決凹部２８４-１，２８４-２，２８４-３，２８４-４，２８４-５は、それぞれストッパ取付部材２２２の上記の位置決凸部（第２の位置決凸部）２７４-１，２７４-２，２７４-３，２７４-４，２７４-５に対応した位置で、且つ対応した形状で設けられている。
【０１００】
この実施形態では、ストッパ部材２２０における位置決凹部２８４-１〜２８４-５を、ストッパ取付部材２２２における位置決凸部２７４-１〜２７４-５に対して回転方向に位置を合せた状態で、ストッパ部材２２０を図７（II）において軸方向に押し込んで行くと、ストッパ部材２２０の位置決凹部２８４-１〜２８４-５が、ストッパ取付部材２２２の位置決凸部２７４-１〜２７４-５に対してそれぞれ嵌り合った状態となり、またストッパ取付部材２２２の内嵌部２７２が、ストッパ部材２２０に内嵌した状態となる。
ここにおいてストッパ部材２２０がストッパ取付部材２２２に対して回転方向に位置決めされた状態、つまり内ハウジング３２の端部２６２に対して回転方向に固定状態で取り付けられる。
【０１０１】
尚図１２の変形例に示しているように、ストッパ取付部材２２２に突起形状の爪２８６を設ける一方、ストッパ部材２２０の側に舌片２８８を設けて、そこに掛止孔２９０を設けておき、爪２８６を掛止孔２９０に掛止させることで、ストッパ取付部材２２２に組み付けたストッパ部材２２０を軸方向に離脱防止するようになしても良い。
このようにしておけば、ストッパ部材２２０がストッパ取付部材２２２から軸方向に離れて、温調ハンドル２２の回転操作時に温調ハンドル２２に対して擦れを生じ、異音を発生させたりする問題を防止できて望ましい。
【０１０２】
図１１は、ストッパ取付部材２２２における第２の位置決凸部２７４-１〜２７４-５の当り面と、ストッパ部材２２０における第１の位置決凹部２８４-１〜２８４-５の当り面との位置関係を示している。
ここでは温調ハンドル２２即ちストッパ部材２２０が高温側，低温側の何れの方向（図１１中Ｐ１，Ｐ２の何れの方向）に回転したときにおいても、ストッパ取付部材２２２における当り面Ａ-１，Ａ-２のうち、ストッパ取付部材２２２の周方向端に背を向けた側の当り面Ａ-１に対して、ストッパ部材２２０の当り面Ｂが当るように、また周方向端を向いた側の当り面Ａ-２に対して、ストッパ部材２２０の側の当り面Ｂが当らないように、ストッパ取付部材２２２における位置決凸部２７４-１〜２７４-５、及びストッパ部材２２０における位置決凹部２８４-１〜２８４-５の寸法及び形状が予め定めてある。
【０１０３】
このようにしておくと、ストッパ部材２２０が温調ハンドル２２と一体に回転して、ストッパ部材２２０からストッパ取付部材２２２に力が加わったとき、ストッパ取付部材２２２に対して、これを内ハウジング３２の端部２６２に対し開口部２６８の側から軸直角方向により深く嵌め込もうとする力が作用し、ストッパ取付部材２２２に対して、これを端部２６２から軸直角方向に引き離す方向の力が働かないため、ストッパ部材２２０からの回転力の作用により、ストッパ取付部材２２２が端部２６２から軸直角方向に離脱してしまうのを確実に防止することができる利点が得られる。
【０１０４】
以上のような本実施形態では、ストッパ取付部材２２２を内ハウジング３２とは別体として、これを内ハウジング３２の、外ハウジング３０から突出した端部２６２の溝２６６に嵌め込んでそこに取り付けるようになしているため、内ハウジング３２の端部に直接ストッパ取付部を設けることによって、内ハウジング３２や外ハウジング３０の設計上の自由が制約されてしまう問題を解消し、任意形状でそれらを設計することが可能となる。
【０１０５】
また本実施形態では、後付けでストッパ取付部材２２２を内ハウジング３２の端部２６２に取り付けるようになしているため、ストッパ取付部材２２２，ストッパ部材２２０を大径に構成することができ、ストッパ強度を高強度となすことができる。
【０１０６】
またストッパ取付部材２２２にはストッパ部材２２０に対する内嵌部２７２を備えてあるため、ストッパ取付部材２２２が内ハウジング３２の突出した端部２６２及びストッパ部材２２０から外れるのを有効に防止できる。
【０１０７】
以上本発明の実施形態を詳述したがこれはあくまで一例示である。
例えば本発明では第１の位置決凹部を位置決凸部となし、第２の位置決凹部を位置決凸部となすことも可能である。
更に第３の位置決凸部を位置決凹部となし、第４の位置決凹部を位置決凸部となすことも可能である。
また上記実施形態は本発明を温調ハンドルのストッパ機構に適用した場合の例であるが、本発明は場合によって切替ハンドルのストッパ機構として、或いはその他の形態の混合水栓において他の種類のハンドルのストッパ機構として適用することも可能である等、本発明はその趣旨を逸脱しない範囲において種々変更を加えた形態で構成可能である。
【符号の説明】
【０１０８】
１０  混合水栓
３０  外ハウジング
３２  内ハウジング
１１０  固定ナット
２１８  当接部
２２０  ストッパ部材
２２２  ストッパ取付部材
２２４，２２６，２６０  ストッパ部
２６２  端部
２６６  溝
２７２  内嵌部
２７４-１，２７４-２，２７４-３，２７４-４，２７４-５  位置決凸部（第２の位置決凸部）
２７６  位置決凹部（第４の位置決凹部）
２７８  位置決凸部（第３の位置決凸部）
２８４-１，２８４-２，２８４-３，２８４-４，２８４-５  位置決凹部（第１の位置決凹部）
２８６  爪
２９０  掛止孔
【図１】
0005736587.tif 000002
【図２】
0005736587.tif 000003
【図３】
0005736587.tif 000004
【図４】
0005736587.tif 000005
【図５】
0005736587.tif 000006
【図６】
0005736587.tif 000007
【図７】
0005736587.tif 000008
【図８】
0005736587.tif 000009
【図９】
0005736587.tif 000010
【図１０】
0005736587.tif 000011
【図１１】
0005736587.tif 000012
【図１２】
0005736587.tif 000013
【図１３】
0005736587.tif 000014
【図１４】
0005736587.tif 000015
【図１５】
0005736587.tif 000016
【図１６】
0005736587.tif 000017
【図１７】
0005736587.tif 000018
【図１８】
0005736587.tif 000019
【図１９】
0005736587.tif 000020
【図２０】
0005736587.tif 000021
【図２１】
0005736587.tif 000022